(57)【特許請求の範囲】
【請求項１】
監視センタとネットワークを介して接続される警備装置において、
前記警備装置を制御している制御プログラムを記憶する記憶手段と、
警備領域で異常を検知した場合に前記監視センタに警報を送信する警備モード、または、前記警備領域で異常を検知した場合に前記監視センタに警報を送信しない警備解除モードを警備状態として記憶する警備状態記憶手段と、
前記監視センタから、書換え対象の制御プログラムと、再起動時の前記警備状態の指定、及び前記書換え対象の制御プログラムを読み込んで前記警備装置を再起動させる日時を示す指定日時または指定日時なし、を組み合わせたタイミング情報と、を受信する受信手段と、
前記記憶手段に記憶された制御プログラムを、前記書換え対象の制御プログラムに書換える書換手段と、
受信された前記タイミング情報に示される前記警備状態の指定が警備解除モードを示し且つ日時指定なしである場合に、現在の警備状態が警備解除モードであるか否かを判別し、該判別によって現在の警備状態が警備モードであると判別した場合、警備状態が警備解除モードとなるまで警備状態の判別を繰り返し、警備状態が警備解除モードとなった場合は、警備状態が警備解除モードとなってから所定時間継続して警備解除モードである場合に、書換え後の前記制御プログラムを前記記憶手段から読み込んで前記警備装置を再起動し、
受信された前記タイミング情報に指定日時が含まれ且つ前記警備状態の指定が警備解除モードを示す場合に、現在の警備状態が警備解除モードであり且つ現在日時が前記指定日時であるときに、書換え後の前記制御プログラムを前記記憶手段から読み込んで前記警備装置を再起動する再起動手段と、
を備えることを特徴とする警備装置。
【請求項２】
前記再起動手段は、現在時刻が前記指定日時となったときに、前記警備状態記憶手段に記憶された警備状態が警備解除モードでない場合は、前記指定日時に所定の時間を追加して新たな指定日時とすること、を特徴とする請求項１に記載の警備装置。
【請求項３】
前記記憶手段は、さらに前記制御プログラムで用いる制御データを記憶し、
前記受信手段は、さらに書換え対象の制御データを受信し、
前記書換手段は、さらに前記記憶手段に記憶された制御データを前記書換え対象の制御データに書換え、
前記再起動手段は、さらに前記タイミング情報に従って、書換え後の前記制御データを前記記憶手段から読み込んで前記警備装置を再起動すること、を特徴とする請求項１または請求項２に記載の警備装置。
【請求項４】
監視センタとネットワークを介して接続される警備装置で実行されるプログラム更新方法において、
前記警備装置は、
前記警備装置を制御している制御プログラムを記憶する記憶手段と、警備領域で異常を検知した場合に前記監視センタに警報を送信する警備モード、または、前記警備領域で異常を検知した場合に前記監視センタに警報を送信しない警備解除モードを警備状態として記憶する警備状態記憶手段と、を備え、
受信手段が、前記監視センタから、書換え対象の制御プログラムと、再起動時の前記警備状態の指定、及び前記書換え対象の制御プログラムを読み込んで前記警備装置を再起動させる日時を示す指定日時または指定日時なし、を組み合わせたタイミング情報と、を受信する受信工程と、
書換手段が、前記記憶手段に記憶された制御プログラムを、前記書換え対象の制御プログラムに書換える書換工程と、
再起動手段が、受信された前記タイミング情報に示される前記警備状態の指定が警備解除モードを示し且つ日時指定なしである場合に、現在の警備状態が警備解除モードであるか否かを判別し、該判別によって現在の警備状態が警備モードであると判別した場合、警備状態が警備解除モードとなるまで警備状態の判別を繰り返し、警備状態が警備解除モードとなった場合は、警備状態が警備解除モードとなってから所定時間継続して警備解除モードである場合に、書換え後の前記制御プログラムを前記記憶手段から読み込んで前記警備装置を再起動し、受信された前記タイミング情報に指定日時が含まれ且つ前記警備状態の指定が警備解除モードを示す場合に、現在の警備状態が警備解除モードであり且つ現在日時が前記指定日時であるときに、書換え後の前記制御プログラムを前記記憶手段から読み込んで前記警備装置を再起動する再起動工程と、
を含むことを特徴とするプログラム更新方法。
【発明の詳細な説明】
【技術分野】
【０００１】
本発明は、警備装置および方法に関する。
【背景技術】
【０００２】
従来、一般住宅や、テナントビル等に設置されている警備装置の制御プログラムの書換えを行う際には、作業員が警備装置を設置している現地に出動し、警備装置ごとに制御プログラムの書換えを行っていた。このような警備装置ごとの制御プログラムの書換えは、作業の負担が膨大であるという問題があった。
【０００３】
このような問題を解決するものとして、火災感知器のメンテナンス支援システムが開示されている（特許文献１参照）。かかるシステムでは、火災感知器への制御信号を送信することによって遠隔操作で火災感知器に保守作業を実行することができる。
【０００４】
【特許文献１】特開２００５−２０９０３０号公報
【発明の開示】
【発明が解決しようとする課題】
【０００５】
しかしながら、上記特許文献１に記載された技術では、制御信号による保守動作であるため、現在動作している制御プログラムに予め設定されているメンテナンス処理のような簡易な保守作業は可能であるが、上述したような警備装置を制御している制御プログラムを書換えることはできない。
【０００６】
また、通常のパーソナルコンピュータがネットワークに接続されている場合に、サーバからプログラムをダウンロードし、再起動することによって制御プログラムを書換えるような技術を適用したとしても、防犯上の理由から警備装置自体の電源を利用者が自由に切断することはできないため、利用者の操作によって制御プログラムをダウンロードして切替えることはできなかった。
【０００７】
本発明は、上記に鑑みてなされたものであって、メンテナンスの作業負担の少ない警備装置および方法を提供することを目的とする。
【課題を解決するための手段】
【０００８】
上述した課題を解決し、目的を達成するために、請求項１にかかる発明は、監視センタとネットワークを介して接続される警備装置において、前記警備装置を制御している制御プログラムを記憶する記憶手段と、警備領域で異常を検知した場合に前記監視センタに警報を送信する警備モード、または、前記警備領域で異常を検知した場合に前記監視センタに警報を送信しない警備解除モードを警備状態として記憶する警備状態記憶手段と、前記監視センタから、書換え対象の制御プログラムと、再起動時の前記警備状態の指定、及び前記書換え対象の制御プログラムを読み込んで前記警備装置を再起動させる日時を示す指定日時または指定日時なし、を組み合わせたタイミング情報と、を受信する受信手段と、前記記憶手段に記憶された制御プログラムを、前記書換え対象の制御プログラムに書換える書換手段と、受信された前記タイミング情報に示される前記警備状態の指定が警備解除モードを示し且つ日時指定なしである場合に、現在の警備状態が警備解除モードであるか否かを判別し、該判別によって現在の警備状態が警備モードであると判別した場合、警備状態が警備解除モードとなるまで警備状態の判別を繰り返し、警備状態が警備解除モードとなった場合は、警備状態が警備解除モードとなってから所定時間継続して警備解除モードである場合に、書換え後の前記制御プログラムを前記記憶手段から読み込んで前記警備装置を再起動し、受信された前記タイミング情報に指定日時が含まれ且つ前記警備状態の指定が警備解除モードを示す場合に、現在の警備状態が警備解除モードであり且つ現在日時が前記指定日時であるときに、書換え後の前記制御プログラムを前記記憶手段から読み込んで前記警備装置を再起動する再起動手段と、を備えることを特徴とする。
【００１２】
また、請求項２にかかる発明は、請求項１に記載の警備装置において、前記再起動手段は、現在時刻が前記指定日時となったときに、前記警備状態記憶手段に記憶された警備状態が警備解除モードでない場合は、前記指定日時に所定の時間を追加して新たな指定日時とすること、を特徴とする。
【００１４】
また、請求項３にかかる発明は、請求項１または請求項２に記載の警備装置において、前記記憶手段は、さらに前記制御プログラムで用いる制御データを記憶し、前記受信手段は、さらに書換え対象の制御データを受信し、前記書換手段は、さらに前記記憶手段に記憶された制御データを前記書換え対象の制御データに書換え、前記再起動手段は、さらに前記タイミング情報に従って、書換え後の前記制御データを前記記憶手段から読み込んで前記警備装置を再起動すること、を特徴とする。
【００１５】
また、請求項４にかかる発明は、監視センタとネットワークを介して接続される警備装置で実行されるプログラム更新方法において、前記警備装置は、前記警備装置を制御している制御プログラムを記憶する記憶手段と、警備領域で異常を検知した場合に前記監視センタに警報を送信する警備モード、または、前記警備領域で異常を検知した場合に前記監視センタに警報を送信しない警備解除モードを警備状態として記憶する警備状態記憶手段と、を備え、受信手段が、前記監視センタから、書換え対象の制御プログラムと、再起動時の前記警備状態の指定、及び前記書換え対象の制御プログラムを読み込んで前記警備装置を再起動させる日時を示す指定日時または指定日時なし、を組み合わせたタイミング情報と、を受信する受信工程と、書換手段が、前記記憶手段に記憶された制御プログラムを、前記書換え対象の制御プログラムに書換える書換工程と、再起動手段が、受信された前記タイミング情報に示される前記警備状態の指定が警備解除モードを示し且つ日時指定なしである場合に、現在の警備状態が警備解除モードであるか否かを判別し、該判別によって現在の警備状態が警備モードであると判別した場合、警備状態が警備解除モードとなるまで警備状態の判別を繰り返し、警備状態が警備解除モードとなった場合は、警備状態が警備解除モードとなってから所定時間継続して警備解除モードである場合に、書換え後の前記制御プログラムを前記記憶手段から読み込んで前記警備装置を再起動し、受信された前記タイミング情報に指定日時が含まれ且つ前記警備状態の指定が警備解除モードを示す場合に、現在の警備状態が警備解除モードであり且つ現在日時が前記指定日時であるときに、書換え後の前記制御プログラムを前記記憶手段から読み込んで前記警備装置を再起動する再起動工程と、を含むことを特徴とする。 
【発明の効果】
【００１６】
本発明によれば、警備装置のメンテナンスの作業負担を軽減することができるという効果を奏する。
【発明を実施するための最良の形態】
【００１７】
以下に添付図面を参照して、本発明にかかる警備装置および方法の最良な実施の形態を詳細に説明する。なお、本発明はこれらの実施の形態に限定されるものではない。
【００１８】
本実施の形態について、添付図面を参照して説明する。まず、本発明が適用される警備装置の構成例について説明する。図１は、本実施の形態にかかる警備装置の構成を示すブロック図である。
【００１９】
本実施の形態にかかる警備装置１００は、センサ１０１と、受信部１０２と、操作パネル部１０３と、制御部１０４と、書換部１０５と、再起動部１０６と、タイマ部１０７と、プログラム・データ記憶部１０８と、書換えプログラム・データ記憶部１０９と、警備状態記憶部１１０と、警備装置情報記憶部１１１と、通信部１１２とを備えている。なお、警備装置１００は、インターネットなどのネットワーク３００を介して監視センタ２００と接続されている。
【００２０】
センサ１０１は、検知領域での異常を検知する。センサ１０１は、例えば赤外線の受光量の変化をもとに人を検知する赤外線センサ、赤外線などが遮られることで人を検知する遮断センサ、電磁波の乱れで人を検知する気配センサ、マグネットにより扉の開閉を検出するマグネットセンサなどの検知領域の異常を検出する各種センサである。受信部１０２は、センサ１０１が異常を検知した際の検知情報を受信する。
【００２１】
操作パネル部１０３は、警備装置１００に関する情報の表示や警備装置１００に対する情報の入力を受け付ける。操作パネル部１０３は、例えば操作パネル１０２に表示されたボタンを押下することによって警備状態の入力を受け付ける。
【００２２】
制御部１０４は、受信部１０２、操作パネル部１０３等の警備装置１００の各部を制御する。制御部１０４は、警備装置１００が起動する際に、プログラム・データ記憶部１０８に記憶された制御プログラムや設定データ等を読み込むことにより制御部１０４としての動作が可能となり、警備装置１００の各部を制御する。ここで、制御プログラムとは、警備装置１００の各部を制御するプログラム（ファームウェア）である。設定データとは、制御プログラムで用いられるデータ、すなわち制御データである。
【００２３】
通信部１１２は、監視センタ２００と各種情報を送受信する。通信部１１２は、監視センタ２００から送信される書換えに関する情報や制御プログラム、設定データを受信し、受信した制御プログラムや設定データを書換えプログラム・データ記憶部１０９に格納する。また、通信部１１２は、警備装置１００での制御プログラム等の書換え処理に対する結果を監視センタ２００に送信する。なお、書換えに関する情報や制御プログラム、設定データは、監視センタ２００に代えて、ネットワーク３００に接続されたサーバから送信するようにしてもよい。また、通信部１１２は、警報情報を監視センタ２００に送信する。
【００２４】
プログラム・データ記憶部１０８は、現在警備装置１００を制御している制御プログラムや設定データを記憶している。なお、プログラム・データ記憶部１０８は、読み書き可能な不揮発性メモリである。
【００２５】
書換えプログラム・データ記憶部１０９は、監視センタ２００から送信された制御プログラムや設定データを記憶する。なお、書換えプログラム・データ記憶部１０９は、プログラム・データ記憶部１０８と同様に、読み書き可能な不揮発性メモリである。また、書換えプログラム・データ記憶部１０９は、プログラム・データ記憶部１０８と同一の記憶媒体であっても異なる記憶媒体であってもよい。
【００２６】
書換部１０５は、監視センタ２００から送信されたタイミング情報に従って、書換えプログラム・データ記憶部１０９に記憶された制御プログラムや設定データを、プログラム・データ記憶部１０８に格納する。
【００２７】
ここで、タイミング情報とは、警備状態が警備解除モードである場合に制御プログラムや設定データを書換えて、書換え後の制御プログラムや設定データを読み込んで再起動させる旨の指定と、制御プログラムや設定データを書換えて、書換え後の制御プログラムや設定データを読み込んで再起動させる日時を示す指定日時との組み合わせた情報である。タイミング情報は、“警備解除時，２００７年１２月２６日１４：００”のような警備解除時でかつ設定日時の指定、“なし，２００７年１２月２６日１４：００”のような設定日時の指定、“警備解除時，なし”のような警備解除時の指定、“なし，なし”の受信後即時の指定の４通りの指定が可能となる。
【００２８】
再起動部１０６は、プログラム・データ記憶部１０８に格納された制御プログラムや設定データで警備装置１００を動作させるために、書換部１０５によって制御プログラムや設定データが書換えられた後に警備装置１００を再起動させる。再起動部１０６は、警備装置１００の電源を切断した後、プログラム・データ記憶部１０８に記憶された制御プログラムや設定データを読み込んで起動することにより、監視センタ２００から送信された制御プログラムや設定データで、警備装置１００を制御することができる。
【００２９】
タイマ部１０７は、現在日時を計時する。また、タイマ部１０７は、計時開始時からの経過時間を計時する。
【００３０】
警備状態記憶部１１０は、現在の警備装置１００の警備状態を記憶する。具体的には、操作パネル部１０３から入力を受け付けた警備状態を記憶する。警備装置１００で設定可能な警備状態には、大別して警備モードと警備解除モードとがある。警備モードとは、センサ１０１が検知領域で異常を検知した際に送出する検知情報を受信した場合に、警備領域での異常を知らせる警報情報をネットワーク３００で接続されている監視センタ２００に送信するモードをいい、警備解除モードとは、上記検知情報を受信した場合でも警報情報を監視センタ２００に送信しないモードをいう。
【００３１】
警備装置情報記憶部１１１は、警備装置１００に関する情報を記憶する。ここで、警備装置１００に関する情報とは、警備装置１００の型番を示す機種ＩＤ等である。
【００３２】
次に、以上のように構成されている警備装置１００による制御プログラム・設定データ書換え処理について説明する。図２は、通信部１１２、書換部１０５が行う制御プログラム・設定データ書換え処理手順を示すフローチャートである。なお、制御プログラム・設定データ書換え処理は、監視センタ２００から書換え開始指示および対応機種ＩＤが送信されることから開始される。
【００３３】
まず、警備装置１００の通信部１１２は、監視センタ２００から送信された書換え開始指示および書換え対象機種ＩＤを受信する（ステップＳ２０１）。書換部１０５は、警備装置情報記憶部１１１から機種ＩＤを取得する（ステップＳ２０２）。書換部１０５は、受信した対象機種ＩＤと、警備装置情報記憶部１１１に記憶された機種ＩＤが適合するか否かを判断する（ステップＳ２０３）。
【００３４】
受信した対象機種ＩＤと、警備装置情報記憶部１１１に記憶された機種ＩＤが適合すると判断した場合は（ステップＳ２０３：Ｙｅｓ）、通信部１１２は監視センタ２００に適合信号を送信する（ステップＳ２０４）。通信部１１２は、監視センタ２００が適合信号に応じて送信したタイミング情報、制御プログラムおよび設定データを受信する（ステップＳ２０５）。通信部１１２は、受信した制御プログラムおよび設定データを書換えプログラム・データ記憶部１０９に格納する（ステップＳ２０６）。
【００３５】
通信部１１２は、制御プログラムおよび設定データを正常に受信したか否かを判断する（ステップＳ２０７）。制御プログラムおよび設定データを正常に受信したと判断した場合は（ステップＳ２０７：Ｙｅｓ）、制御プログラム・設定データ書換え処理を実行する（ステップＳ２０８）。制御プログラム・設定データ書換え処理の詳細は、後述する。
【００３６】
制御プログラムおよび設定データを正常に受信していないと判断した場合は（ステップＳ２０７：Ｎｏ）、通信部１１２は書換えプログラム・データ記憶部１０９に格納した制御プログラムおよび設定データを破棄する（ステップＳ２０９）。通信部１１２は、監視センタ２００に受信データ異常信号を送信する（ステップＳ２１０）。
【００３７】
ステップＳ２０３において、受信した対象機種ＩＤと、警備装置情報記憶部１１１に記憶された機種ＩＤが適合しないと判断した場合は（ステップＳ２０３：Ｎｏ）、不適合信号を監視センタ２００に送信する（ステップＳ２１１）。
【００３８】
次に、制御プログラム・設定データ書換え処理について説明する。図３は、書換部１０５が行う制御プログラム・設定データ書換え処理手順を示すフローチャートである。
【００３９】
まず、書換部１０５は、タイミング情報に警備解除時指定が含まれているか否かを判断する（ステップＳ３０１）。タイミング情報に警備解除時指定が含まれていると判断した場合は（ステップＳ３０１：Ｙｅｓ）、書換部１０５はタイミング情報に日時指定が含まれているか否かを判断する（ステップＳ３０２）。タイミング情報に日時指定が含まれていると判断した場合は（ステップＳ３０２：Ｙｅｓ）、書換部１０５は日時指定かつ警備解除時の書換え処理を実行する（ステップＳ３０３）。処理の詳細は、後述する。タイミング情報に日時指定が含まれていないと判断した場合は（ステップＳ３０２：Ｎｏ）、書換部１０５は警備解除時の書換え処理を実行する（ステップＳ３０４）。処理の詳細は、後述する。
【００４０】
ステップＳ３０１において、タイミング情報に警備解除時指定が含まれていないと判断した場合は（ステップＳ３０１：Ｎｏ）、書換部１０５はタイミング情報に日時指定が含まれているか否かを判断する（ステップＳ３０５）。タイミング情報に日時指定が含まれていると判断した場合は（ステップＳ３０５：Ｙｅｓ）、書換部１０５は日時指定の書換え処理を実行する（ステップＳ３０６）。処理の詳細は、後述する。タイミング情報に日時指定が含まれていないと判断した場合は（ステップＳ３０５：Ｎｏ）、書換部１０５は書換え処理を実行する（ステップＳ３０７）。処理の詳細は、後述する。
【００４１】
次に、日時指定かつ警備解除時の書換え処理について説明する。図４は、書換部１０５が行う日時指定かつ警備解除時の書換え処理手順を示すフローチャートである。
【００４２】
まず、書換部１０５は現在日時が指定日時であるか否かを判断する（ステップＳ４０１）。現在日時が指定日時でないと判断した場合は（ステップＳ４０１：Ｎｏ）、ステップＳ４０１に戻り、現在日時が指定日時になるまでこの処理を繰り返す。
【００４３】
現在日時が指定日時であると判断した場合は（ステップＳ４０１：Ｙｅｓ）、書換部１０５は警備状態記憶部１１０から現在の警備状態を取得する（ステップＳ４０２）。書換部１０５は、現在の警備状態が警備解除モードであるか否かを判断する（ステップＳ４０３）。現在の警備状態が警備解除モードであると判断した場合は（ステップＳ４０３：Ｙｅｓ）、書換え処理を実行する（ステップＳ４０４）。処理の詳細は、後述する。現在の警備状態が警備解除モードでないと判断した場合は（ステップＳ４０３：Ｎｏ）、書換部１０５は指定日時を指定日時に１日加算した日時とし（ステップＳ４０５）、ステップＳ４０１に戻る。なお、指定日時に加算する時間は、１日に限らず、警備装置１００が設置されている警備領域の実情に応じた時間を加算する。
【００４４】
次に、警備解除時の書換え処理について説明する。図５は、書換部１０５が行う警備解除時の書換え処理手順を示すフローチャートである。
【００４５】
まず、書換部１０５は、警備状態記憶部１１０から現在の警備状態を取得する（ステップＳ５０１）。書換部１０５は、現在の警備状態が警備解除モードであるか否かを判断する（ステップＳ５０２）。現在の警備状態が警備解除モードであると判断した場合は（ステップＳ５０２：Ｙｅｓ）、ステップＳ５０９に進む。現在の警備状態が警備解除モードでないと判断した場合は（ステップＳ５０２：Ｎｏ）、すなわち現在の警備状態が警備モードであると判断した場合は、書換部１０５は警備状態記憶部１１０から現在の警備状態を取得する（ステップＳ５０３）。書換部１０５は、現在の警備状態が警備解除モードであるか否かを判断する（ステップＳ５０４）。現在の警備状態が警備解除モードであると判断した場合は（ステップＳ５０４：Ｙｅｓ）、タイマ部１０７は書換えタイマをスタートする（ステップＳ５０５）。これにより、タイマ部１０７は警備解除モードが設定されてからの経過時間を計時する。現在の警備状態が警備解除モードでないと判断した場合は（ステップＳ５０４：Ｎｏ）、ステップＳ５０３に戻り、現在の警備状態が警備解除モードに設定されるまでこの処理を繰り返す。
【００４６】
書換部１０５は、警備状態記憶部１１０から現在の警備状態を取得する（ステップＳ５０６）。書換部１０５は、現在の警備状態が警備解除モードであるか否かを判断する（ステップＳ５０７）。現在の警備状態が警備解除モードであると判断した場合は（ステップＳ５０７：Ｙｅｓ）、書換部１０５は書換えタイマがスタートしてから所定時間を経過したか否かを判断する（ステップＳ５０８）。所定時間を経過したと判断した場合は（ステップＳ５０８：Ｙｅｓ）、書換部１０５は書換え処理を実行する（ステップＳ５０９）。処理の詳細は、後述する。所定時間を経過していないと判断した場合は（ステップＳ５０８：Ｎｏ）、ステップＳ５０６に戻り、所定時間経過するまでこの処理を繰り返す。
【００４７】
ステップＳ５０７において、現在の警備状態が警備解除モードでないと判断した場合は（ステップＳ５０７：Ｎｏ）、すなわち所定時間を経過する前に警備モードが設定された場合は、ステップＳ５０３に戻る。例えば、家人が忘れ物を取りに戻った後に再び外出するような場合など、警備状態を警備解除モードに設定した後すぐに警備モードに切替える場合も多いため、警備解除モードが設定されて所定時間が経過した後に書換え処理を行う。これにより、書換え処理を実行することで無警備状態になる時間を短くすることができる。
【００４８】
次に、日時指定の書換え処理について説明する。図６は、書換部１０５が行う日時指定の書換え処理手順を示すフローチャートである。
【００４９】
まず、書換部１０５は、現在日時が指定日時であるか否かを判断する（ステップＳ６０１）。現在日時が指定日時でないと判断した場合は（ステップＳ６０１：Ｎｏ）、ステップＳ６０１に戻り、現在日時が指定日時となるまでこの処理を繰り返す。現在日時が指定日時であると判断した場合は（ステップＳ６０１：Ｙｅｓ）、書換部１０５は書換え処理を実行する（ステップＳ６０２）。処理の詳細は、後述する。
【００５０】
次に、書換え処理について説明する。図７は、書換部１０５、再起動部１０６が行う書換え処理手順を示すフローチャートである。
【００５１】
まず、書換部１０５は、書換えプログラム・データ記憶部１０９から制御プログラム、設定データを取得する（ステップＳ７０１）。書換部１０５は、取得した制御プログラム、設定データを、プログラム・データ記憶部１０８に格納する（ステップＳ７０２）。
【００５２】
再起動部１０６は、警備装置１００を再起動する（ステップＳ７０３）。具体的には、再起動部１０６は、警備装置１００の電源を切断し、プログラム・データ記憶部１０８に記憶された制御プログラム、設定データを制御部１０４に読み込んで起動する。これにより、監視センタ１００から送信された新たな制御プログラムおよび設定データが読み込まれた制御部１０４によって警備装置１００が制御されるため、これまで警備装置１００を制御していた制御プログラムおよび設定データとは異なる制御プログラムおよび設定データで警備装置１００を制御することができる。
【００５３】
書換部１０５は、再起動が成功したか否かを判断する（ステップＳ７０４）。再起動が成功したと判断した場合は（ステップＳ７０４：Ｙｅｓ）、通信部１１２は書換え成功信号を監視センタ２００に送信する（ステップＳ７０５）。再起動が成功していないと判断した場合は（ステップＳ７０４：Ｎｏ）、通信部１１２は書換え失敗信号を監視センタ２００に送信する（ステップＳ７０６）。
【００５４】
このように、監視センタ２００からの書換え指示のみで制御プログラムおよび設定データを書換え、警備装置の制御プログラムや設定データを変更することができるため、メンテナンスの作業負担を削減することができる。
【００５５】
また、タイミング情報に従って、制御プログラムや設定データを書換え、再起動することにより、警備領域の警備の実情に応じて、例えば警備員の警備スケジュールや、不審者侵入の危険度等を考慮したタイミングで、警備装置１００が無警備状態になるため、警備の質の低下を防ぐことができる。
【００５６】
また、ネットワーク３００を電話回線としないことにより、利用者宅の電話回線が使用中となることもなく、利用者宅の電話に着信して制御プログラムや設定データを送信できないことを防ぐことができる。
【００５７】
なお、警備装置１００は、制御プログラムや設定データを監視センタ２００から受信し、受信した制御プログラムを書換えるまでの間に、監視センタ２００から書換え中止信号を受信した場合に、書換えプログラム・データ記憶部１０９に記憶された制御プログラム、設定データをプログラム・データ記憶部１０８の制御プログラム、設定データに書換えることを中止するようにしてもよい。
【００５８】
また、上述した実施の形態では、制御プログラムと設定データを同時に書換える例を用いて説明したが、制御プログラムと設定データはどちらか一方を監視センタ２００から受信して書き換えても、制御プログラムと設定データを別々に監視センタ２００から受信し、異なるタイミングで書換え処理を行ってもよい。なお、制御プログラムと設定データそれぞれのタイミングは、上述した“指定日時かつ警備解除時”、“警備解除時”、“指定日時”、“受信後即時”のいずれかである。
【００５９】
なお、制御プログラムと設定データを異なるタイミングで書換え、再起動する場合には、制御プログラムと設定データとの整合を取るため、制御プログラムと設定データのそれぞれに適合する設定データや制御プログラムの情報を保持しておき、書き換える際に適合するか否かを確認する。
【００６０】
また、警備装置１００ごとに制御している制御プログラムや設定データを管理するために、再起動部１０６によって警備装置１００が再起動される際に、制御プログラムや設定データの製造番号等を監視センタ２００に送信し、監視センタ２００で警備装置１００ごとに現在動作している制御プログラムや設定データの製造番号等を管理するようにしてもよい。
【００６１】
また、警備装置１００では、警報情報のような監視センタ２００に即時に送信する必要がある情報以外の情報、例えば操作パネル部１０３の操作履歴情報や、異常を検知したセンサ１０１のＩＤや検知時間等を図示しない記憶部に格納しておき、監視センタ２００からの要求に応じて記憶部に記憶された操作履歴情報等を監視センタ２００に送信するようにしてもよい。
【００６２】
なお、本発明を上述した実施の形態を用いて説明してきたが、上述した実施の形態に多様な変更または改良を加えることができる。また、説明した構成や機能は、自由に組み合わせることができる。
【図面の簡単な説明】
【００６３】
【図１】本実施の形態にかかる警備装置の構成を示すブロック図である。
【図２】制御プログラム・設定データ書換え処理手順を示すフローチャートである。
【図３】制御プログラム・設定データ書換え処理手順を示すフローチャートである。
【図４】日時指定かつ警備解除時の書換え処理手順を示すフローチャートである。
【図５】警備解除時の書換え処理手順を示すフローチャートである。
【図６】日時指定の書換え処理手順を示すフローチャートである。
【図７】書換え処理手順を示すフローチャートである。
【符号の説明】
【００６４】
１００  警備装置
１０１  センサ
１０２  受信部
１０３  操作パネル部
１０４  制御部
１０５  書換部
１０６  再起動部
１０７  タイマ部
１０８  プログラム・データ記憶部
１０９  書換えプログラム・データ記憶部
１１０  警備状態記憶部
１１１  警備装置情報記憶部
１１２  通信部
２００  監視センタ
３００  ネットワーク
【図１】
0005331336.tif 000002
【図２】
0005331336.tif 000003
【図３】
0005331336.tif 000004
【図４】
0005331336.tif 000005
【図５】
0005331336.tif 000006
【図６】
0005331336.tif 000007
【図７】
0005331336.tif 000008